(57)【要約】異種ネットワークに用いられ、且つ、待受状態にある移動通信デバイスでは、MDT(Minimization Drive Tests)測定の測定データの信頼性が低かった。基地局は、報知情報(System Information Block)中に、ABS(Almost Blank Subframe)情報及びnonABS情報の少なくとも一方を含ませると共に、ABS情報及びnonABS情報の少なくとも一方にMDT(Minimization Drive Tests)測定で使用するサブフレームパターンを設定し、測定で使用するサブフレームパターンを報知情報に含めて送信する。移動通信デバイスは、ABS情報及びnonABS情報の少なくとも一方を含む報知情報を受信し、待受状態において、報知情報からMDT測定で使用するサブフレームパターンを検出し、測定で使用するサブフレームパターンを検出して測定し、測定の結果を測定データとして保存し、前記測定データを送信する。
2015174060.tif 000002
【特許請求の範囲】
【請求項１】
報知情報(System Information Block)中に、ABS(Almost Blank Subframe)情報及びnonABS情報の少なくとも一方を含ませると共に、当該ABS情報及びnonABS情報の少なくとも一方にMDT(Minimization Drive Tests)測定で使用するサブフレームパターンを設定する制御手段と、
前記測定で使用するサブフレームパターンを前記報知情報に含めて送信する送信手段を有することを特徴とする異種ネットワーク用基地局。
【請求項２】
前記制御手段は、サービングセル用サブフレームパターン及び隣接セル用サブフレームパターンの少なくとも一方をABS情報及びnonABS情報の少なくとも一方に設定することを特徴とする請求項１記載の異種ネットワーク用基地局。
【請求項３】
前記制御手段は、measSubframePatternPCell、measSubframePatternConfigNeigh、measSubframePatternPCell2及びmeasSubframePatternCongfigNeigh2の少なくとも一つをABS情報及びnonABS情報の少なくとも一方に設定することを特徴とする請求項２記載の異種ネットワーク用基地局。
【請求項４】
ABS(Almost Blank Subframe)情報及びnonABS情報の少なくとも一方を含む報知情報(System Information Block)を受信する手段と、
待受状態において、前記報知情報からMDT(Minimization Drive Tests)測定で使用するサブフレームパターンを検出し、
前記測定で使用するサブフレームパターンを検出して、前記サブフレームパターンに従って測定し、
前記測定データを送信する制御手段と、
前記測定の結果を測定データとして保存する保存する保存手段を有することを特徴とする移動通信デバイス。
【請求項５】
前記制御手段は、前記測定データとして、MDTログ情報を送信することを特徴とする請求項４記載の移動通信デバイス。
【請求項６】
異種ネットワークに用いられる基地局と移動通信デバイスとの間の通信方法であって、
前記基地局は、報知情報(System Information Block)中に、ABS(Almost Blank Subframe)情報及びnonABS情報の少なくとも一方を含ませ、当該ABS情報及びnonABS情報の少なくとも一方にMDT(Minimization Drive Tests)測定で使用するサブフレームパターンを設定して送信し、
前記移動通信デバイスは、
待受状態において、前記ABS情報及びnonABS情報の少なくとも一方を含む前記報知情報を受信して、前記測定で使用するサブフレームパターンを検出して、測定を開始し測定の結果を測定データとして保存すると共に、
前記測定データを前記基地局に送信することを特徴とする通信方法。
【請求項７】
報知情報(System Information Block)中に、ABS(Almost Blank Subframe)情報及びnonABS情報の少なくとも一方を含ませると共に、当該ABS情報及びnonABS情報の少なくとも一方にMDT(Minimization Drive Tests)測定で使用するサブフレームパターンを設定し、
前記測定で使用するサブフレームパターンを前記報知情報に含めて送信することを特徴とする異種ネットワーク用基地局の通信方法。
【請求項８】
ABS(Almost Blank Subframe)情報及びnonABS情報の少なくとも一方を含む報知情報(System Information Block)を受信し、
待受状態において、前記報知情報からMDT(Minimization Drive Tests)測定で使用するサブフレームパターンを検出し、
前記測定で使用するサブフレームパターンを検出して、測定し、
前記測定の結果を測定データとして保存し、
前記測定データを送信することを特徴とする移動通信デバイスの通信方法。
【請求項９】
報知情報(System Information Block)にABS(Almost Blank Subframe)情報及びnonABS情報の少なくとも一方を含ませ、当該ABS情報及びnonABS情報の少なくとも一方にMDT(Minimization Drive Tests)測定で使用するサブフレームパターンを設定する処理と、
前記測定で使用するサブフレームパターンを送信する処理をプロセッサに実行させることを特徴とする基地局用コンピュータプログラムを格納した非一時的な記録媒体。
【請求項１０】
ABS(Almost Blank Subframe)情報及びnonABS情報の少なくとも一方を含む報知情報(System Information Block)を受信する処理と、前記ABS情報及びnonABS情報の少なくとも一方からMDT(Minimization Drive Tests)測定で使用するサブフレームパターンを取得する処理と、
前記測定で使用するサブフレームパターンを取得すると、待受状態において前記サブフレームパターンに従ってMDT測定を行う処理と、
前記MDT測定の結果を測定データとして保存する処理、及び、
前記測定データを前記基地局に送信する処理をプロセッサに実行させることを特徴とする移動通信デバイス用コンピュータプログラムを格納した非一時的な記録媒体。
【発明の詳細な説明】
【技術分野】
【０００１】
本発明は、移動通信システムに関し、特に、移動通信システムに用いられる基地局、移動通信デバイス、及び通信方法に関する。
【背景技術】
【０００２】
以下では、LTE(Long Term Evolution)-Advancedについて主に説明するが、本発明は何らこれに限定されるものではない。【０００３】
LTE-Advanced では、複数の周波数帯を組み合わせるキャリアアグリゲーション(CA)、複数サイズのセル、複数の基地局を連携させるCoMP(Coordinated Multipoint)、複数の異なる通信技術を組み合わせることが考慮されている。LTE-Advanced のネットワークは、ヘテロジーニアスネットワーク(HetNet:異種ネットワーク)構成となる。【０００４】
LTE-Advancedでは、ネットワークの運営費及び維持費を最適化するために、人手によるドライブテストの代わりに、自動的にドライブテストを行う所謂MDT(Minimization of Drive Tests)が考慮されている。ここで、MDTは、ネットワーク側装置からの要求に対して移動通信デバイスによってネットワーク性能に関する測定を行い、測定データを収集・記録して、ネットワーク側装置に報告する動作である。このため、移動通信デバイスの測定データには、移動通信デバイスの位置情報が含まれ、ネットワーク運営者はこの位置情報を参照することによってネットワークのカバレッジを最適化することができる。【０００５】
また、MDTは、即時型(Immediate)MDTと記録型(Logged)MDTに区分されている。即時型MDTは接続状態にある移動通信デバイスで実行され、記録型MDTは主に待受(Idle)状態の移動通信デバイスで実行される。また、接続状態にある移動通信デバイスで実行される記録型MDTも存在している。
MDT測定で収集されたデータは測定ログ(MDTログ)に保存され、後の時点でネットワーク側装置に報告される。MDTによって測定情報を収集することによって、ネットワーク運営者が測定地域のカバレッジ問題を発見したり、人工的なドライブテストを最小化することができる。【０００６】
ここで、ネットワーク側装置はeNB(evolved Base Station), HeNB (Home evolved Base Station),RNC(Radio Network Controller), GW (Gate Way), MME(Mobile Management Entity)等、各種のネットワーク側機器を含むことができるが、ここでは、これらネットワーク側装置を総称して基地局と呼ぶものとする。また、移動通信デバイスは、携帯電話、スマートフォン、PC、タブレット端末等を含みうる。【０００７】
特許文献１は、LTEシステムにおけるMDTログの報告方法を開示している。即ち、特許文献１は、基地局と移動通信デバイスとの間のMDTに関する信号メッセージの交換手続を明らかにしている。特許文献１では、SRB0,SRB1, SRB2を含むシグナリング無線ベアラ(SRB)のうち、SRB1,SRB2が使用されている。即ち、特許文献１は、SRB1によって、基地局から要求メッセージを送信し、SRB2上に移動通信デバイスからMDTログを含む応答メッセージを送信する方法を提案している。【０００８】
また、特許文献２は、サービングセルに接続された移動通信デバイスにおけるドライブテスト結果を基地局に報告するだけでなく、サービングセルに隣接したセルに関する情報をも基地局に報告する方法及びシステムを開示している。
また、特許文献３は、移動端末装置が、マクロセルが送信抑制しているプロテクトサブフレームとマクロセルが送信抑制していないノンプロテクトサブフレームにそれぞれ多重された参照信号からそれぞれ受信品質を測定し、基地局装置へ通知する無線通信システムを開示している。
【先行技術文献】
【特許文献】
【０００９】
【特許文献１】特開２０１２−１０３４０号公報
【特許文献２】特表２０１３−５２２９８７号公報
【特許文献３】特開２０１２−１０５３２３号公報
【発明の概要】
【発明が解決しようとする課題】
【００１０】
特許文献１及び２は、MDTの報告方法を異種ネットワークに適用した場合について開示していない。即ち、特許文献１及び２は、マクロセルと、マクロセルよりもセルサイズの小さなスモールセル、マイクロセル、ピコセル、及び／又はフェムトセル等がマクロセル内に共存する異種ネットワークにおけるMDT測定・記録・報告に係る問題について何ら示唆していない。【００１１】
本発明者らの研究によれば、セルサイズの異なる異種ネットワークにおいて、特許文献１及び２に示された方法を適用した場合、MDT情報は実際の通信状態を必ずしも正確に表しているとはいえないことが判明した。また、現状のMDTでは、本当に干渉を回避しているかどうかを示すデータの取得が不可能であった。特に、アイドル状態、即ち、待受状態にある移動通信デバイスから、MDT測定データを基地局に報告する場合には、問題が多いことが判明した。特許文献３にもアイドル状態、即ち、待受状態にある移動通信デバイスから、MDT測定データを基地局に報告する場合の問題を回避する方法は開示されていない。
【課題を解決するための手段】
【００１２】
本発明の目的は、異なるサイズのセルが共存した異種ネットワークに適したMDTを実行できる基地局、移動通信デバイス、及び通信方法を提供することである。【００１３】
本発明の第１の態様によれば、報知情報(System Information Block)中に、ABS(Almost Blank Subframe) 情報 及びnonABS情報の少なくとも一方を含ませると共に、当該ABS情報及びnonABS情報の少なくとも一方にMDT(Minimization Drive Tests)測定で使用するサブフレームパターンを設定する制御手段と、
前記測定で使用するサブフレームパターンを前記報知情報に含めて送信する送信手段を有することを特徴とする異種ネットワーク用基地局が得られる。【００１４】
本発明の第２の態様によれば、ABS(Almost Blank Subframe)情報及びnonABS情報の少なくとも一方を含む報知情報(System Information Block)を受信する手段と、待受状態において、前記報知情報からMDT(Minimization Drive Tests)測定で使用するサブフレームパターンを検出し、前記測定で使用するサブフレームパターンを検出して、前記サブフレームパターンに従って測定し、前記測定データを送信する制御手段と、前記測定の結果を測定データとして保存する保存する保存手段を有することを特徴とする移動通信デバイスが得られる。【００１５】
本発明の第３の態様によれば、報知情報(System Information Block)中に、ABS(Almost Blank Subframe)情報及びnonABS情報の少なくとも一方を含ませると共に、当該ABS及びnonABS情報の少なくとも一方にMDT(Minimization Drive Tests)測定で使用するサブフレームパターンを設定し、前記測定で使用するサブフレームパターンを前記報知情報として送信することを特徴とする異種ネットワーク用基地局の通信方法が得られる。【００１６】
本発明の第４の態様によれば、ABS(Almost Blank Subframe)情報及びnonABS情報の少なくとも一方を含む報知情報(System Information Block)を受信し、待受状態において、前記報知情報からMDT(Minimization Drive Tests)測定で使用するサブフレームパターンを検出し、前記測定で使用するサブフレームパターンを検出して、測定し、前記測定の結果を測定データとして保存し、前記測定データを送信することを特徴とする移動通信デバイスの通信方法が得られる。【００１７】
本発明の第５の態様によれば、報知情報(System Information Block)にABS(Almost Blank Subframe)情報及びnonABS情報の少なくとも一方を含ませ、当該ABS情報及びnonABS情報の少なくとも一方にMDT(Minimization Drive Tests)測定で使用するサブフレームパターンを設定する処理と、前記測定で使用するサブフレームパターンを送信する処理をプロセッサに実行させることを特徴とする基地局用コンピュータプログラムを格納した非一時的な記録媒体が得られる。【００１８】
本発明の第６の態様によれば、ABS(Almost Blank Subframe)情報及びnonABS情報の少なくとも一方を含む報知情報(System Information Block)を受信する処理と、前記ABS情報及びnonABS情報の少なくとも一方からMDT(Minimization Drive Tests)測定で使用するサブフレームパターンを取得する処理と、前記測定で使用するサブフレームパターンを取得すると、待受状態において前記サブフレームパターンに従ってMDT測定を行う処理と、前記MDT測定の結果を測定データとして保存する処理、及び、前記測定データを前記基地局に送信する処理をプロセッサに実行させることを特徴とする移動通信デバイス用コンピュータプログラムを格納した非一時的な記録媒体が得られる。
【発明の効果】
【００１９】
本発明によれば、異なるサイズのセルが共存した異種ネットワークに適したMDTを実行できる基地局、移動通信デバイス、及び通信方法を提供することができる。
【図面の簡単な説明】
【００２０】
【図１】本発明の一実施形態に係る異種ネットワークシステムを説明するための概略図である。
【図２】本発明の一実施形態で使用されるサブフレームを説明する図である。
【図３】本発明の一実施形態に係る異種ネットワークシステムの動作を説明するフローチャートである。
【図４】MDTログ情報の例を説明する図である。
【図５】本発明の一実施形態に係る基地局(eNB)を説明するブロック図である。
【図６】本発明の一実施形態に係る移動通信デバイスの一例を説明するブロック図である。
【発明を実施するための形態】
【００２１】
図１を参照すると、本発明の一実施形態に係るヘテロジーニアスネットワーク(HetNet)システム(即ち、異種ネットワークシステム)の一例が示されている。図示されたネットワークシステムはマクロセル１０を管理する基地局(eNB)１２、マクロセル１０内に設けられ、ピコセル１４を管理する基地局(HeNB)１６を有している。この例では、ピコセル１４を管理する基地局(HeNB)１６に隣接してもう一つの基地局２２が設けられている。基地局２２は以下、隣接基地局と呼び、当該隣接基地局２２が管理するセルを隣接セル２４と呼ぶものとする。図示されているように、地理的にマクロセル１０とピコセル１４及び隣接セル２４は少なくとも一部で重畳するように形成されている。移動通信デバイス(UE)１８は、基地局(eNB)１２と、基地局(HeNB)１６又は隣接基地局２２と通信しながらマクロセル１０と、ピコセル１４又は隣接セル２４間を移動できる。
【００２２】
このように、マクロセル１０内にピコセル１４等が配置されると、基地局(eNB)１２、基地局(HeNB)１６、及び、隣接基地局２２間の干渉が不可避的に発生する。基地局間の干渉を低減するために、複数のセルを協調して動作させるeICIC(enhanced Inter-Cell Interference Coordination:ネットワーク連携セル間干渉制御)技術が提案されている。
【００２３】
eICIC環境で用いられるネットワークでは、干渉を及ぼす側のaggressor cell (アグレッサーセル(以下、与干渉セルと呼ぶ))(例えば、マクロセル１０)と、干渉を受ける側のvictim cell (ビクティムセル(以下被干渉セルと呼ぶ))(例えば、ピコセル１４、隣接セル２４)とが存在することになる。
【００２４】
3GPP Release 10は、上記したネットワークにおいてセル間干渉を回避するために、データを含まないサブフレーム(Subframe)、即ち、Almost Blank Subframe(ABS)を導入している。ABSを導入することによって、干渉を与える与干渉セルであるマクロセル１０が、意図的にデータを送信しないSubframe(ABS)を作り、干渉を受ける被干渉セルであるピコセル１４、隣接セル２４はABS内にデータ送信を行うことにより、与干渉セルであるマクロセル１０からの干渉を軽減できる。
【００２５】
この場合、与干渉セルであるマクロセル１０に配置された基地局(eNB)１２と被干渉セルであるピコセル１４に配置された基地局(HeNB)１６、隣接セル２４に配置された隣接基地局２２との間では、ABSを含むサブフレームを検出するために、正確に同期がとられていなければならない。また、被干渉セルであるピコセル１４をサービングセルとする移動通信デバイス(UE)１８と被干渉セルであるピコセル１４の基地局(HeNB)１６との間では、同期判定のために、測定用データが送受される。
【００２６】
更に、3GPPでは、ABSの導入に伴い、Radio Link Monitoring (TS36.133参照)やRSRP(Reference Signal Received Power)/RSRQ(Reference Signal Received Quality)測定(TS36.331)にも変更が加えられている。
【００２７】
RLMとは、移動通信デバイス(UE)１８がRRC(Radio Resource Control) Connected状態のときに行う、サービングセルとの同期判定をする動作である。RLMにおいて、被干渉セルであるピコセル１４に接続している移動通信デバイス(UE)１８が、全てのサブフレームをRLMの測定対象とし、与干渉セルであるマクロセル１０からの干渉を受けているサブフレームの測定結果をも同期判定に用いることになると、干渉を受けていないABSでの通信環境が良好であっても、不要な同期外れを検出してしまう。この問題を解決するために、3GPPでは、被干渉セルであるピコセル１４に接続している移動通信デバイス(UE)１８に対して、与干渉セルであるマクロセル１０からの干渉を受けていないサブフレームのみをRLMに使用できるようにRLM Measurement Resource Restriction（以下、RLM測定制限と呼ぶ）が導入された。
【００２８】
また、RSRP又はRSRQ測定においても、与干渉セルであるマクロセル１０からの干渉を受けているサブフレームの測定結果をもRSRP又はRSRQ測定の対象に含めることになると、RSRP又はRSRQ測定の測定値が低く見積もられ、ハンドオーバの誤検出や間違ったセルへのハンドオーバ起動などの問題があった。このような不都合を防止するために、3GPPでは、RRC Connected 状態にある移動通信デバイス(UE)１８に対して、干渉を受けていないサブフレームのみをRSRP/RSRQ測定に使用できるようにRRM (Radio Resource Monitoring) Measurement Resource Restriction(以下、RRM測定制限と呼ぶ)が導入されている。しかしながら、RLM測定制限、RRM測定制限は、RRC Connected状態の移動通信デバイス(UE)１８に対してのみ可能である。
【００２９】
換言すれば、移動通信デバイス(UE)１８が待受状態にある場合、上記した測定制限を与えることはできないのが実情である。このため、移動通信デバイス(UE)１８が待受状態でセルの品質を測定する場合、ABSが設定されている状況であっても、全てのABS以外のサブフレームをも測定対象としてしまい、干渉を受けていないサブフレームがあるにも関わらず、セルの品質が低く測定されてしまうことがあった。
【００３０】
3GPPでは、待受状態にある移動通信デバイス(UE)１８に対して、セル環境(圏外の検出など)を測定するためにMinimization of Drive Test (MDT)が導入されている。MDTは、待受状態にある移動通信デバイス(UE)１８が特定の時刻や、圏外を検出したときに、移動通信デバイス(UE)１８が存在する場所でRSRPやRSRQを測定する動作である。しかし、上記したように、待受状態にある移動通信デバイス(UE)１８では、RLM測定制限及びRRM 測定制限が起動できない。
【００３１】
このため、移動通信デバイス(UE)１８がMDTで取得する測定データ(RSRP/RSRQ)は実際の状況を反映したものにはなっていなかった。即ち、干渉を受けないサブフレームを使用すれば良好な受信環境であるにも拘わらず、干渉を受けるサブフレームも含めて測定してしまうため実際よりも受信状況は悪いと判定されてしまう。また、現状のMDTでは、設定されたABSパターンが本当に干渉を回避しているかどうかを示すデータの取得が不可能であった。
【００３２】
本実施形態にかかる発明は、ABSが設定されている与干渉セル(Aggressor cell)、もしくは、ABSが提供されている被干渉セル(Victim cell)配下で、MDT ログ情報を正確に取得することにある。
【００３３】
即ち、本実施形態にかかる発明は、待受状態の移動通信デバイス(UE)１８であっても、ABSを考慮した正しいMDTログ情報を取得する手段を提供する。また、移動通信デバイス(UE)１８が取得するMDTログ情報には、現状、ABS情報が加味されていない。また、MDTログ情報は、測定ポイントの正確な情報を含んでいないのが実情である。
【００３４】
上記した点を改善するために、本発明の実施形態に係る基地局(eNB)１２は、報知情報(System Information Block)の中に、ABS/nonABS情報（ABS情報及びnonABS情報の少なくとも一方、以下も同様とする）を含める。ここで、本発明に係るABS/nonABS情報は、例えばMDTにおいて RSRP/RSRQ（RSRP及びRSRQの少なくとも一方、以下も同様とする）の測定で使用するサブフレームパターンが設定された情報である。サブフレームパターンは、具体的には、3GPPで定義されているmeasSubframePatternPCell(Serving Cell用測定サブフレームパターン)、及び、measSubframePatternConfigNeigh (Neighbour Cell用測定サブフレームパターン)を用いてもよい。すなわち、移動通信デバイス(UE)１８のMDT測定で使用する各サブフレームを示すビット列によって構成されている(3GPP上、これらの情報要素(IE)に設定されるパターンは必ずしもABS Patternである必要はない)。
【００３５】
本発明の実施形態では、例えば、以下の4つのパターンのうちの少なくとも一つを報知情報(System Information Block)として報知する。 
- ABS用
・measSubframePatternPCell(Serving Cell用測定サブフレームパターン)
・measSubframePatternConfigNeigh (Neighbour Cell用測定サブフレームパターン)
- nonABS用
・measSubframePatternPCell2(Serving Cell用測定サブフレームパターン)
・measSubframePatternConfigNeigh2 (Neighbour Cell用測定サブフレームパターン)
【００３６】
移動通信デバイス(UE)１８は既存の報知情報 (System Information Block)取得時に、上記ABS情報又はnon ABS情報を合わせて取得する。
【００３７】
移動通信デバイス(UE)１８はMDTログ情報の取得を行うとき、上記報知情報 (System Information Block)から取得したABS/nonABS情報(measSubframePatternPCell、measSubframePatternConfigNeigh、measSubframePatternPCell2、measSubframePatternConfigNeigh2)を使用する。即ち、移動通信デバイス(UE)１８は測定条件の情報で示されたサブフレーム(Subframe)のみを測定対象とする。
【００３８】
移動通信デバイス(UE)１８は、測定した情報を、既存の測定結果とは別に保存する。また、移動通信デバイス(UE)１８は、サービングセル(Serving Cell)に関する測定結果と、隣接セル(Neighbour Cell)に関する測定結果を個別に保存する。
【００３９】
図２を参照して、マクロセル１０を管理する基地局(eNB)１２から送信される測定パターンの一例について説明する。マクロセル１０内には、ピコセル１４及び当該ピコセル１４に隣接した隣接セル２４が存在しているものとする。更に、移動通信デバイス(UE)１８はピコセル１４内に在圏し、当該ピコセル１４をサービングセルとしているものとする。また、マクロセル１０は与干渉セル(Aggressor Cell)であり、ピコセル１４及び隣接セル２４は干渉を受ける被干渉セル(Victim Cell)であるものとする。
【００４０】
図２は、与干渉セルであるマクロセル１０を規定する基地局(eNB)１２のダウンリンクフレームを示しており、図示されたフレームには、サブフレーム(Subframe#0〜#9)が含まれている。基地局(eNB)１２は奇数のサブフレーム#1,#3,#5,#7,#9をABS(Almost Blank Subframe)としている。即ち、基地局(eNB)１２はデータの無い各ABS#1,#3,#5,#7,#9に測定パターン情報を配置する。この場合、測定パターン情報は、例えば、ABS/nonABS情報により指定されるサブフレームに配置された所定ビット数(例えば、４０ビット)の特定ビットパターンによって構成できる。
【００４１】
具体的には、測定サブフレームパターン情報はSystem Information Blockタイプ１に含まれる以下の少なくとも一つによって送信される。 
- measSubframePatternPCellの奇数のサブフレーム(Subframe)にBit 1を設定(即ち、サービングセル(Serving Cell)のサブフレーム#1,#3,#5,#7,#9等に測定サブフレームパターンを構成するビットを設定する)
- measSubframePatternConfigNeighの奇数のサブフレーム(Subframe)にBit 1を設定(即ち、隣接セル(Neighbour Cell)のサブフレーム#1,#3,#5,#7,#9等に測定サブフレームパターンを構成するビットを設定する)
- measSubframePatternPCell2の偶数のサブフレーム(Subframe)にBit 1を設定(即ち、Serving Cellのサブフレーム#0,#2,#4,#6,#8等に測定サブフレームパターンを構成するビットを設定する)
- measSubframePatternConfigNeigh2の偶数のサブフレーム(Subframe)にBit 1を設定(Neighbour Cellのサブフレーム#0,#2,#4,#6,#8等に測定サブフレームパターンを構成するビットを設定する)
【００４２】
一方、ピコセル１４に在圏している移動通信デバイス(UE)１８は、measSubframePatternPCell、measSubframePatternConfigNeighにより干渉を受けていない奇数のサブフレーム(Subframe#1,#3,#5,#7,#9)を示す測定サブフレームパターンを受信すると、これら奇数のサブフレームでRSRP/RSRQの測定を行う。このように、干渉を受けていないサブフレームのみでRSRP/RSRQが測定される。更に、ピコセル１４)に在圏している移動通信デバイス(UE)１８は、measSubframePatternPCell2、measSubframePatternConfigNeigh2により干渉を受けているサブフレーム(Subframe)のみでRSRP/RSRQをそれぞれ測定することも可能である。また、移動通信デバイス(UE)１８は上記した２つの方法を併用してRSRP/RSRQを測定しても良い。
【００４３】
この実施形態で用いられる上記4つの測定サブフレームパターンはそれぞれ異なるパターンを設定することも可能である。即ち、サービングセル(Serving Cell)と隣接セル(Neighbour Cell)で異なるABSパターンを設定していても良い。
【００４４】
移動通信デバイス(UE)１８は、基地局(eNB)１２にMDTログ情報を報告するとき、上記で保存した測定データを報告する(測定していないものについては報告に含めない)。また、合わせて、ABS/nonABS情報(measSubframePatternPCell、measSubframePatternConfigNeigh、measSubframePatternPCell2、measSubframePatternConfigNeigh2)もMDTログ情報に含めることができる。
【００４５】
図３を参照して、上記した一実施形態の基地局(eNB)１２及び移動通信デバイス(UE)１８の動作を説明する。
【００４６】
まず、基地局(eNB)１２は測定サブフレームパターンを決定し(ステップS1)、続いて、報知情報(System Information Block)に含ませるABS及び/又はnonABS情報を選択する(ステップS2)。選択されたABS/nonABS情報に応じて、基地局(eNB)１２は測定サブフレームパターンに応じて、ABS/nonABS情報を各サブフレームに位置づけ、報知情報(System Information Block)として移動通信デバイス(UE)１８に送信する(ステップS3)。
【００４７】
移動通信デバイス(UE)１８は、基地局(eNB)１２から報知情報(System Information Block)を受信すると(ステップSS1)、ステップSS2において待受状態か否かを判定する。待受状態でない場合(SS2:No)、移動通信デバイス(UE)１８は、通常の処理を行う(ステップSS7)。
待受状態である場合(SS2:Yes)、移動通信デバイス(UE)１８は、ABS/nonABS情報を検出する(ステップSS3)。複数のサブフレームのABS/nonABS情報を示す測定サブフレームパターンを取得すると(ステップSS4)、移動通信デバイス(UE)１８はABS/nonABS情報で指定されたサブフレームにおいてMDT測定を行う(ステップSS5)。
【００４８】
続いて、移動通信デバイス(UE)１８は測定結果をあらわすMDTログ情報を基地局(eNB)１２に送信する(ステップSS6)。
【００４９】
移動通信デバイス(UE)１８からMDTログ情報を受信すると、基地局(eNB)１２はMDTログ情報を分析して、ネットワークの運行状況を把握して、自動的に最適化する処理を行う(ステップS4)。
【００５０】
図４を参照すると、3GPP TS36.331で定義されているMDTログ情報が示されている。
【００５１】
上記の情報を受信した基地局(eNB)１２は、例えば、ABSのみで測定されたRSRPが良好で、RSRQが低かった場合、このABSパターンが他のセルから干渉を受けていると判断する。この結果、基地局(eNB)１２はABSの設定を変更することにより、ABS パターンの最適化を行うことができる。また、nonABSのみで測定されたRSRP/RSRQが共に良好であり、ABSパターンのみで測定されたRSRP/RSRQも共に良好である場合、基地局（eNB）１２はABSを停止することが可能になる。
【００５２】
図５を参照して、図３に示された動作を行う一実施形態の基地局(eNB)１２の構成について説明する。
【００５３】
図示された基地局(eNB)１２は、処理部３０、記憶部３２、及びトランシーバ３４を備え、トランシーバ３４はアンテナ３６に接続されると共に、コアネットワーク３８に接続されている。
【００５４】
記憶部３２は、OS及び本発明に係るMDT用基地局プログラムを格納したプログラム格納部３２１及びデータ格納部３２２を有している。MDT用基地局プログラムは、ROM(Read Only Memory)、RAM(Random Access Memory)、フラッシュメモリ等の半導体記憶装置、光ディスク、磁気ディスク、光磁気ディスク等、非一時的な記録媒体に格納されてもよい。データ格納部３２２は測定パターンを記憶する測定パターン記憶部、報知情報(System Information Block)及びABS/nonABS情報を記憶する記憶部、及び移動通信デバイス(UE)１８から受信したMDTログ情報を記憶する記憶部を備えている。
【００５５】
プログラム格納部３２１に格納されたOS及びMDT用基地局プログラムにしたがって処理を行う処理部３０は、例えばプロセッサで構成される。MDT用基地局プログラムは、プロセッサに図３に示された処理を実行させる。具体的には、処理部３０は、ABS/nonABS情報を報知情報(System Information Block)に含ませて送信する。各ABS/nonABS情報の送信の際、処理部３０はABS/nonABS情報を選択し、測定サブフレームパターンに応じたビットを選択されたABS/nonABS情報に割り当てて送信する。
【００５６】
即ち、処理部３０は、ABS/nonABS情報の選択の際、ABS用として、measSubframePatternPCell 、measSubframePatternConfigNeigh、nonABS用としてmeasSubframePatternPCell2、measSubframePatternConfigNeigh2の４つのうちの少なくとも一つを選択する処理を行う。ABS/nonABS情報を選択した後、処理部３０は各サブフレームに測定サブフレームパターンに応じたビットを割り当てる。
【００５７】
割り当てられた測定サブフレームパターンを含むABS/nonABS情報は、報知情報(System Information Block)の一部として処理部３０の制御の下に、トランシーバ３４及びアンテナ３６を介して、送信される。
【００５８】
移動通信デバイス(UE)１８からMDTログ情報を受信すると、基地局(eNB)１２はMDTログ情報をデータ格納部３２２に記憶すると共に、MDTに必要な処理を行い、処理結果をコアネットワーク３８等に送信する。
【００５９】
図６を参照すると、本発明の一実施形態に係る移動通信デバイス(UE)１８の一例が示されている。図示された移動通信デバイス(UE)１８は、記憶ユニット６２、制御部６４、及びアンテナ６６を含んでいる。図示された制御部６４はスピーカ、イヤホーン、ディスプレイ等に接続されている。一方、記憶ユニット６２は、OS及び移動デバイス用プログラムを格納したプログラムメモリ６２１、MDTログ情報等の測定結果を格納するデータ格納部６２２を含んでいる。移動デバイス用プログラムは、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等の半導体記憶装置、光ディスク、磁気ディスク、光磁気ディスク等、非一時的な記録媒体に格納されてもよい。
【００６０】
制御部６４は、例えばプロセッサで構成される。制御部６４は、アンテナ６６を通して受信された報知情報(System Information Block)から、プログラムメモリ６２１に格納された移動デバイス用プログラムに従って、図３に示されたように以下の処理を実行する。制御部６４は、ABS/nonABS情報を検出する。ABS/nonABS情報から測定サブフレームパターンが取得されると、制御部６４は選択されたABS/nonABS情報においてMDT測定を行う。MDT測定の結果はデータ格納部６２２に格納される。この場合、サービングセルにおけるMDT測定の結果と、隣接セルにおけるMDT測定の結果は、データ格納部６２２の個別の領域に格納される。
【００６１】
また、MDT測定の結果であるMDTログ情報は、アンテナ６６を介して基地局(eNB)１２に報告される。
【００６２】
MDTログ情報を受信した基地局(eNB)１２はMDTログ情報を分析して、最適なネットワーク構成であるか否かを判定し、最適なネットワーク構成でなければ、ABS/nonABS情報の変更等を行う。
【００６３】
基地局(eNB)１２から送信されるABS/nonABS情報は、被干渉セル、隣接セルに関する情報を含んでおり、且つ、複数のABS/nonABS情報に亘る測定パターンを含んでいる。
【００６４】
このため、移動通信デバイス(UE)１８は待受状態にあっても、選択されたサブフレームだけで測定を行うことができる。したがって、移動通信デバイス(UE)１８はMDT情報を正確に受信できる。また、測定サブフレームパターンは複数のサブフレームに亘っているため、ABSパターンが干渉を回避できているかどうかを基地局(eNB)１２は正確に把握できる。従って、異なるサイズのセルが共存した異種ネットワークに適したMDTを実行できる基地局、移動通信デバイス、及び通信方法を提供することができる。
【００６５】
以上、実施形態を参照して本願発明を説明したが、本願発明は、上記実施形態に限定されるものではない。本願発明の構成や詳細には、本願発明のスコープ内で当業者が理解しうる様々な変更をすることができる。
上記の実施形態の一部又は全部は以下の付記のようにも記載されうるが、これらに限定されるものではない。
【００６６】
（付記１）
報知情報(System Information Block)中に、ABS(Almost Blank Subframe)／nonABS情報を含ませると共に、当該ABS／nonABS情報に測定で使用するサブフレームパターンを設定する手段と、
前記測定で使用するサブフレームパターンを前記報知情報として送信する手段を有することを特徴とする異種ネットワーク用基地局。
【００６７】
（付記２）
前記測定パターンは、サービングセル用測定サブフレームパターン及び隣接セル用測定サブフレームパターンの少なくとも一方であることを特徴とする異種ネットワーク用基地局。
【００６８】
（付記３）
前記測定パターンは前記ABS情報に含まれていることを特徴とする異種ネットワーク用基地局。
【００６９】
（付記４）
前記測定パターンは前記nonABS情報に含まれていることを特徴とする異種ネットワーク用基地局。
【００７０】
（付記５）
前記ABS情報は、measSubframePatternPCell及びmeasSubframePatternConfigNeighの少なくとも一方であることを特徴とする異種ネットワーク用基地局。
【００７１】
（付記６）
前記nonABS情報は、measSubframePatternPCell2及びmeasSubframePatternCongfigNeigh2の少なくとも一方であることを特徴とする異種ネットワーク用基地局。
【００７２】
（付記７）
更に、前記測定パターンに対する応答として、MDT(Minimization Drive Tests)情報を受信する手段を含むことを特徴とする異種ネットワーク用基地局。
【００７３】
（付記８）
前記MDT情報はMDTログ情報であることを特徴とする異種ネットワーク用基地局。
【００７４】
（付記９）
ABS(Almost Blank Subframe)情報を含む報知情報を受信する手段と、
待受状態において、前記報知情報から測定で使用するサブフレームパターンを検出する手段と、
前記測定で使用するサブフレームパターンを検出して、前記報知情報を測定する手段と、
前記測定の結果を測定データとして保存する保存手段と、
前記測定データを送信する手段を有することを特徴とする移動通信デバイス。
【００７５】
（付記１０）
前記測定データはMDTログ情報として送信されることを特徴とする移動通信デバイス。
【００７６】
（付記１１）
前記測定データはABS測定データ及びnonABS測定データの少なくとも一方を含んでいることを特徴とする移動通信デバイス。
【００７７】
（付記１２）
前記MDTログ情報はABS/nonABS情報を含んでいることを特徴とする移動通信デバイス。
【００７８】
（付記１３）
前記保存手段は、前記測定データ及び前記ABS/nonABS情報をログリストとして保存することを特徴とする移動通信デバイス。
【００７９】
（付記１４）
異種ネットワークに用いられる基地局と移動通信デバイスとの間の通信方法であって、
前記基地局は、報知情報(System Information Block)にABS/nonABS情報を含ませ、当該ABS/nonABS情報を測定で使用するサブフレームパターンとして送信し、
前記移動通信デバイスは、
待受状態において、前記ABS/nonABS情報を含む前記報知情報を受信して、前記測定で使用するサブフレームパターンを検出して、測定を開始し測定の結果を測定データとして保存する保存すると共に、
前記測定データを前記基地局に送信することを特徴とする通信方法。
【００８０】
（付記１５）
報知情報(System Information Block)にABS/nonABS情報を含ませ、当該ABS/nonABS情報を測定で使用するサブフレームパターンとして生成する処理と、
前記測定パターンを送信する処理をプロセッサに実行させることを特徴とする基地局用コンピュータプログラム。
【００８１】
（付記１６）
ABS/nonABS情報を含む報知情報を受信する処理と、前記ABS/nonABS情報から測定で使用するサブフレームパターンを取得する処理と、前記測定で使用するサブフレームパターンを取得すると、待受状態において前記報知情報のMDT測定を行う処理と、
前記MDT測定の結果を測定データとして保存する保存する処理、及び、
前記測定データを前記基地局に送信する処理をプロセッサに実行させることを特徴とする移動通信デバイス用コンピュータプログラム。
【００８２】
この出願は、２０１４年５月１６日に出願された日本出願特願２０１４−１０２１３７を基礎とする優先権を主張し、その開示の全てをここに取り込む。
【符号の説明】
【００８３】
１０        マクロセル
１２        基地局(eNB)
１４        ピコセル
１６        基地局(HeNB)
１８        移動通信デバイス(UE)
２２        隣接基地局
２４        隣接セル
３０        処理部
３２        記憶部
３２１      プログラム格納部
３２２      データ格納部
３４        トランシーバ
３６        アンテナ
３８        コアネットワーク
６２        記憶ユニット
６２１      プログラムメモリ
６２２      データ格納部
６４        制御部
６６        アンテナ
【図１】
2015174060.tif 000003
【図２】
2015174060.tif 000004
【図３】
2015174060.tif 000005
【図４】
2015174060.tif 000006
【図５】
2015174060.tif 000007
【図６】
2015174060.tif 000008
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
報知情報(System Information Block)中に、ABS(Almost Blank Subframe) 情報 及びnonABS情報の少なくとも一方を含ませると共に、当該ABS情報及びnonABS情報の少なくとも一方にMDT(Minimization Drive Tests)測定で使用するサブフレームパターンを設定する制御手段と、
前記測定で使用するサブフレームパターンを前記報知情報に含めて送信する送信手段を有することを特徴とする異種ネットワーク用基地局。
【請求項２】
前記制御手段は、サービングセル用サブフレームパターン及び隣接セル用サブフレームパターンの少なくとも一方を前記ABS情報 及び前記nonABS情報の少なくとも一方に設定することを特徴とする請求項１記載の異種ネットワーク用基地局。
【請求項３】
前記制御手段は、measSubframePatternPCell、measSubframePatternConfigNeigh、measSubframePatternPCell2及びmeasSubframePatternCongfigNeigh2の少なくとも一つを前記ABS情報 及び前記nonABS情報の少なくとも一方に設定することを特徴とする請求項２記載の異種ネットワーク用基地局。
【請求項４】
前記制御手段は、サービングセル用サブフレームパターン及び隣接セル用サブフレームパターンをABS情報及びnonABS情報の少なくとも一方に設定し、
前記サービングセル用サブフレームパターン及び前記隣接セル用サブフレームパターンとして、それぞれ異なるサブフレームパターンを設定することを特徴とする請求項１乃至３記載の異種ネットワーク用基地局。
【請求項５】
前記サブフレームパターンの送信に対する応答としてMDT測定データを受信する受信手段を有し、
前記制御手段は、前記MDT測定データに基づいて前記ABS及びnonABS情報に設定した前記サブフレームパターンを変更することを特徴とする請求項１乃至４記載の異種ネットワーク用基地局。
【請求項６】
前記サブフレームパターンの送信に対する応答としてMDT測定データを受信する受信手段を有し、
前記制御手段は、前記MDT測定データに基づいて前記ABSの設定を停止することを特徴とする請求項１乃至５記載の異種ネットワーク用基地局。
【請求項７】
ABS(Almost Blank Subframe)情報及びnonABS情報の少なくとも一方を含む報知情報(System Information Block)を受信する手段と、
待受状態において、前記報知情報からMDT(Minimization Drive Tests)測定で使用するサブフレームパターンを検出し、
前記測定で使用するサブフレームパターンを検出して、前記サブフレームパターンに従って測定し、
前記測定データを送信する制御手段と、
前記測定の結果を測定データとして保存する保存する保存手段を有することを特徴とする移動通信デバイス。
【請求項８】
前記制御手段は、前記測定データとして、MDTログ情報を送信することを特徴とする請求項４記載の移動通信デバイス。
【請求項９】
報知情報(System Information Block)中に、ABS(Almost Blank Subframe)情報及びnonABS情報の少なくとも一方を含ませると共に、当該ABS及びnonABS情報の少なくとも一方にMDT(Minimization Drive Tests)測定で使用するサブフレームパターンを設定し、
前記測定で使用するサブフレームパターンを前記報知情報に含めて送信することを特徴とする異種ネットワーク用基地局の通信方法。
【請求項１０】
ABS(Almost Blank Subframe)情報及びnonABS情報の少なくとも一方を含む報知情報(System Information Block)を受信し、
待受状態において、前記報知情報からMDT(Minimization Drive Tests)測定で使用するサブフレームパターンを検出し、
前記測定で使用するサブフレームパターンを検出して、測定し、
前記測定の結果を測定データとして保存し、
前記測定データを送信することを特徴とする移動通信デバイスの通信方法。
【国際調査報告】
2015174060.tif 000009
2015174060.tif 000010